(57)【特許請求の範囲】
【請求項１】
容器本体に形成された液体注出口が封止用フィルムで閉塞され、前記液体注出口の外側周縁部に沿って周回する環形状をなすベース部が形成され、前記ベース部内に筒状のリテーナの下部が前記容器本体の内側方向へ移動可能に螺合され、前記リテーナの上部に螺合するスクリューキャップを備えて成り、前記スクリューキャップを取り外すための回転方向へ回転させることにより前記リテーナが前記容器本体の内側方向へ移動して前記封止用フィルムを破るキャップ付き容器であって、
前記ベース部と前記リテーナの下部との螺合の回転方向と、前記リテーナの上部と前記スクリューキャップとの螺合の回転方向と、が互いに逆方向となるように設定され、リテーナとスクリューキャップとが溶着部にて溶接されて、スクリューキャップを取り外す方向に回転させるとスクリューキャップとリテーナが一体となりベース部内を移動し、前記リテーナが前記ベース部と当接して前記リテーナの回転が阻止され、前記スクリューキャップの回転により前記溶着部が切断されて前記スクリューキャップが前記リテーナから離脱することを特徴とするキャップ付き容器。
【請求項２】
前記ベース部の内壁面にベース雌ネジが形成され、且つ前記リテーナの下部外壁に前記ベース部のベース雌ネジに螺合する下部雄ネジが形成されていることを特徴とする請求項１記載のキャップ付き容器。
【請求項３】
前記リテーナの上部外壁に下部雄ネジと逆の螺合方向の上部雄ネジが形成され、前記スクリューキャップの内壁面に前記上部雄ネジと螺合するキャップ雌ネジが形成されていることを特徴とする請求項２に記載のキャップ付き容器。
【請求項４】
前記リテーナの上部内壁に下部雄ネジと逆の螺合方向の上部雌ネジが形成され、前記スクリューキャップ下面中央に前記上部雌ネジに螺合する雄ネジが形成された栓が突出するように形成されていることを特徴とする請求項２に記載のキャップ付き容器。
【請求項５】
前記リテーナと前記スクリューキャップとは、切断可能に暫定的な溶着部が形成されていることを特徴とする請求項１〜請求項４のいずれかに記載のキャップ付き容器。
【請求項６】
前記溶着部は、スポット溶接により前記リテーナと前記スクリューキャップとが溶接されてなることを特徴とする請求項５記載のキャップ付き容器。
【請求項７】
前記リテーナの下端部は、尖端状に形成されていることを特徴とする請求項１〜請求項６のいずれかに記載のキャップ付き容器。
【発明の詳細な説明】
【０００１】
【発明の属する技術分野】
この発明は、キャップ付き容器に関し、さらに詳しくは、スクリューキャップ部を備える、飲料その他の液体を収納する容器に関する。
【０００２】
【従来の技術】
従来、キャップ付き容器としては、特開平７−２７７３２４号公報記載に係る開封装置を備えた液体容器が知られている。この容器は、図１０に示すように、容器本体１の上部にヒンジ部２を支点として同図中矢印で示す方向に沿って蓋板３を開閉するようになっている。このような容器では、蓋板３を最初に開けたときに、封止用シール４の端部４Ａを持って引き剥がすことにより、蓋板３を開けた状態で液体注出口１Ａから内容液を容器外へ取り出すことが可能になる。また、この容器においては、液体注出口１Ａの上側周縁に沿って周回するように蓋受けフランジ部５が形成されており、この蓋受けフランジ部５と蓋板３の周縁に形成したフック部３Ａとを両者の反発性を利用して係合することにより、再度蓋板３を閉じた状態で保持することが可能となっている。
【０００３】
この他に、従来のキャップ付き容器としては、特表平９−５０１８９０号公記載に係るパッケージが知られている。このパッケージは、図１１に示すように、容器本体１１の上部に形成された液体注出口１１Ａは、使用前には封止用シール１２で封止されている。液体注出口１１Ａの上側周縁には、下部にフランジ部１３が形成され、且つ上方に向けて筒状部分１４が一体に形成されたベースフランジ１５が固設されている。筒状部分１４の内側壁面には雌ネジ１４Ａが刻設され、外側壁面には雄ネジ１４Ｂが刻設されている。筒状部分１４内には、雌ネジ１４Ａに螺合する移動筒１６が嵌め込まれている。この移動筒１６の下端部には、封止用シール１２を破るための尖端部１６Ａが形成されており、筒の内壁には上下方向に沿って複数のリブ１６Ｂが形成されている。ベースフランジ１５の筒状部分１４の外側壁面に形成した雄ネジ１４Ｂには、スクリューキャップ１７の内壁に刻設されて雌ネジが螺合するようになっている。このスクリューキャップ１７を締め込む方向に回転させたときにスクリューキャップ１７側のアーム１７Ａを筒状部分１４側のリブ１６Ｂが受け止めるようになっており、この回転に伴い移動筒１６は筒状部分１４に対して所定位置まで下に移動するようになっている。
【０００４】
このパッケージにおいて最初に容器キャップの封を切る場合には、移動筒１６の尖端部１６Ａが封止用シール１２の上に位置するように設定されており、スクリューキャップ１７を締め込む方向へ回転させることにより、尖端部１６Ａで封止用シール１２を破ることができる。その後は、スクリューキャップ１７を逆方向に回転させることにより、スクリューキャップ１７を取り外すことができる。なお、このような逆方向の回転のときには、リブ１６Ｂがアーム１７Ａを受け止めることなく、アーム１７Ａがリブ１６Ｂの上を滑るような構造に設定されている。
【０００５】
【発明が解決しようとする課題】
しかしながら、上記したキャップ付き容器のうち前者では、蓋板３を開けた後に封止用シール４を引き剥がす手間が煩わしいものであり、蓋板３を閉じた状態で、フランジ部５と蓋板３の周縁に形成されたフック部３Ａとの係合が不完全であると液漏れを起こすなどの不都合が生じ易く、再封性がよくないという問題があった。
【０００６】
また、後者では、スクリューキャップ１７を締める方向に回転させることにより、封止用シール１２を破ることができ、スクリューキャップ１７を逆回転させることでスクリューキャップ１７を外すことができ、単純な操作で開閉が行えるものであるが、スクリューキャップ１７の内側に垂下するアーム１７Ａを形成したり、リブ１６Ｂを移動筒１６の内側壁面に形成したりするため、部品自体の構造が複雑であり、成形コストが割高となる問題があった。特に、スクリューキャップ１７を締め込む際にアーム１７Ａがリブ１６Ｂに対して空転しないように、アーム１７Ａに剛性を付与する必要があり、アーム１７Ａを形成する材料や構造強度に留意する必要があった。また、開封前にスクリューキャップ１７を一旦外して再度スクリューキャップ１７を嵌める行為が行われた場合には、このような行為があったことを、後にスクリューキャップ１７を開ける際に知ることができないものであった。このため、構造上なんらかの工夫を加えない限り、容器を購入した使用者が、スクリューキャップ１７がすでに開けられたものであるかどうかの判断ができないものであり、衛生上、安全上においての課題を残すものであった。
【０００７】
この発明が解決しようとする課題は、簡単な構造で、且つ確実な開封動作および閉じ動作を簡単に行うことができ、しかも液漏れなどの発生を防止できる再封性の良好なキャップ付き容器を得るにはどのような手段を講じればよいかという点にある。
【０００８】
【課題を解決するための手段】
請求項１記載の発明は、容器本体に形成された液体注出口が封止用フィルムで閉塞され、前記液体注出口の外側周縁部に沿って周回する環形状をなすベース部が形成され、前記ベース部内に筒状のリテーナの下部が前記容器本体の内側方向へ移動可能に螺合され、前記リテーナの上部に螺合するスクリューキャップを備えて成り、前記スクリューキャップを取り外すための回転方向へ回転させることにより前記リテーナが前記容器本体の内側方向へ移動して前記封止用フィルムを破るキャップ付き容器であって、前記ベース部と前記リテーナの下部との螺合の回転方向と、前記リテーナの上部と前記スクリューキャップとの螺合の回転方向と、が互いに逆方向となるように設定され、且つ前記ベース部と前記リテーナの下部との螺合の回転トルクが、前記リテーナの上部と前記スクリューキャップとの螺合の回転トルクより小さく設定されていることを特徴としている。
【０００９】
従って、請求項１記載の発明では、スクリューキャップを取り外すための方向に回転させると、リテーナとスクリューキャップとが溶着部２８にてスポット溶接されている為、ベース部にリテーナとの螺合が進み、リテーナがベース部内を移動して封止用フィルムを突き破る。リテーナがベース部に完全に嵌合するとそれ以上進むことができず、リテーナの回転が停止し、その後スクリューキャップがリテーナの上部に対して回転して溶着部２８が切断されスクリューキャップを外すことができる。このように、スクリューキャップを取り外す方向へ回転させるという単純な操作で封止用フィルムを破り、スクリューキャップを取り去ることができる。
【００１０】
請求項２記載の発明は、請求項１記載のキャップ付き容器であって、前記ベース部の内壁面にベース雌ネジが形成され、且つ前記リテーナの下部外壁に前記ベース部のベース雌ネジに螺合する下部雄ネジが形成されていることを特徴としている。
【００１１】
従って、請求項２記載の発明では、請求項１記載の発明の作用に加えて、ベース部の内壁面のベース雌ネジに沿って、リテーナの下部雄ネジが螺合して進むことにより、ベース部内に望む封止用フィルムを破ることができ、この封止用フィルムで閉塞された液体注出口を解放することができる。
【００１２】
請求項３記載の発明は、請求項２に記載のキャップ付き容器であって、前記リテーナの上部外壁に下部雄ネジと逆の螺合方向の上部雄ネジが形成され、前記スクリューキャップの内壁面に前記上部雄ネジと螺合するキャップ雌ネジが形成されていることを特徴とする。
【００１３】
従って、請求項３記載の発明では、請求項２に記載の発明の作用に加えて、リテーナ上部外壁の上部雄ネジをスクリューキャップのキャップ雌ネジが覆うため上部雄ネジとキャップ雌ネジのとの接触面積を稼ぐことができ、この螺合における回転トルクを比較的大きくすることができる。
【００１４】
請求項４記載の発明は、請求項２に記載のキャップ付き容器であって、前記リテーナの上部内壁に下部雄ネジと逆の螺合方向の上部雌ネジが形成され、前記スクリューキャップ下面中央に前記上部雌ネジに螺合する雄ネジが形成された栓が突出するように形成されていることを特徴としている。
【００１５】
従って、請求項４記載の発明では、請求項２に記載の発明の作用に加えて、リテーナの上部外壁面にネジを刻設することがないため、滑らかな曲面とすることができ、リテーナをざらつきのない飲み口とすることができる。
【００１６】
請求項５記載の発明は、請求項１〜請求項４のいずれかに記載のキャップ付き容器であって、前記リテーナと前記スクリューキャップとは、切断可能に暫定的な溶着部が形成されていることを特徴としている。
【００１７】
従って、請求項５記載の発明では、請求項１〜請求項４に記載の発明の作用に加えて、容器購入時にリテーナとスクリューキャップとが溶着部で一体的に固定されているため、一旦スクリューキャップが開けられたものか否かを溶着部が切断されているか否かで判断することができる。このため、容器内容物が飲料であれば、衛生的で安全性の高いキャップ付き容器とすることができ、他の液体であれば、品質の保持機能を向上することができる。
【００１８】
請求項６記載の発明は、請求項５記載のキャップ付き容器であって、前記溶着部は、スポット溶接により前記リテーナと前記スクリューキャップとが溶接されてなることを特徴としている。
【００１９】
従って、請求項６記載の発明では、請求項５記載の発明の作用に加えて、スポット溶接という簡単な手段でリテーナとスクリューキャップとを接続できるため、製造が容易である。特に、リテーナとスクリューキャップとが合成樹脂で形成される場合には、生産ラインで瞬時に溶着することができるという利点がある。
【００２０】
請求項７記載の発明は、請求項１〜請求項６のいずれかに記載のキャップ付き容器であって、前記リテーナの下端部は、尖端状に形成されていることを特徴としている。
【００２１】
従って、請求項７記載の発明では、請求項１〜請求項６に記載の発明の作用に加えて、封止用フィルムをリテーナの尖端で容易且つ確実に破ることができるため、内容液の吐出路を確実に形成することが可能になる。
【００２２】
【発明の実施の形態】
以下、この発明に係るキャップ付き容器の詳細を図面に示す実施形態に基づいて説明する。
【００２３】
（実施形態１）
図１〜図６は、実施形態１のキャップ付き容器の各状態を示す要部断面図である。図中符号２１は、キャップ付き容器であり、容器本体２２とキャップ部２３とから大略構成されている。容器本体２２は、耐漏液処理が施された紙材料をベースに形成された箱状の容器であり、上部に液体注出用開口部２２Ａが形成されている。この液体注出用開口部２２Ａは、液体注出用開口部２２Ａの下側（容器内側）から貼り付けられた封止用フィルム２４で閉塞されている。
【００２４】
以下に、キャップ部２３の構成を説明する。キャップ部２３は、容器本体２２の液体注出用開口部２２Ａの上側（容器外側）周縁部に沿って接着・固定されたリング状のベース部２５と、略筒状のリテーナ２６と、スクリューキャップ２７と、から構成され、これらの部材はそれぞれ合成樹脂で形成されている。ベース部２５の内壁には、ベース左ネジ（雌ネジ）２５Ａが形成されている。リテーナ２６は、下部外壁面に下部左ネジ（雄ネジ）２６Ａが形成され、段差部２６Ｄより上に位置する上部外壁面に上部右ネジ（雄ネジ）２６Ｂが形成されている。また、リテーナ２６の下端は、封止用フィルム２４を突き破ることができるように、例えばノコ歯状に突出する尖端部２６Ｃが形成されている。スクリューキャップ２７の内壁には、キャップ右ネジ（雌ネジ）２７Ａが形成されている。
【００２５】
このようなキャップ付き容器２１の初期状態、すなわち未開封状態では、リテーナ２６の上部右ネジ２６Ｂにキャップ右ネジ２７Ａが完全に螺合が完了するように嵌め込まれており、図１に示すように、キャップ右ネジ２７Ａの下部と上部右ネジ２６Ｂの下部とが、スポット溶接されている。同図中符号２８は、スポット溶接された溶着部を示している。また、初期状態では、リテーナ２６が封止用フィルム２４より完全に上方に位置するように設定されている。
【００２６】
次に、このような構成のキャップ付き容器２１の各キャップ操作に応じたキャップ部２３の各部材の相対関係ならびに作用を逐次説明する。まず、図１に示す状態はキャップ部２３が未開封の状態であり、リテーナ２６の上部右ネジ２６Ｂにスクリューキャップ２７のキャップ右ネジ２７Ａが完全に嵌合している。また、リテーナ２６の下部左ネジ２６Ａは、ベース部２５のベース左ネジ２５Ａに比較的浅く嵌合しており、リテーナ２６の尖端部２６Ｃが封止用フィルム２４の上方に位置している。
【００２７】
図１に示すように、初期状態（キャップ付き容器の出荷時の状態）からスクリューキャップ２７を外す方向（反時計回り）に回転させる（通常、消費者はスクリューキャップを外すためにこの方向に回す）と、図２に示すようにリテーナ２６の下部左ネジ２６Ａはベース左ネジ２５Ａとの螺合が進み、リテーナ２６は下方へ移動する。このとき、ベース部２５とリテーナ２６の下部との螺合の回転方向と、リテーナ２６の上部とスクリューキャップ２７との螺合の回転方向とが互いに逆方向となるように設定され、リテーナ２６とスクリューキャップ２７とが溶着部２８にて溶接されて、スクリューキャップ２７を取り外す方向に回転させるとスクリューキャップ２７とリテーナ２６とが一体となりベース部内を移動し、スクリューキャップ２７が外れないようになっている。この結果、図２に示すようにリテーナ２６の尖端部２６Ｃが封止用フィルム２４を突き破り、容器本体２２の液体注出用開口部２２Ａを解放する。
【００２８】
そして、図２に示す状態でさらにスクリューキャップ２７を同方向（反時計回り方向）へ回転させると、リテーナ２６の段差部２６Ｄはベース部２５の上面に当接するためそれ以上下方へ移動することができずリテーナ２６の回転は阻止される。その結果、スクリューキャップ２７を回転させ続ければ、溶着部２８が切断され、スクリューキャップ２７は停止状態にあるリテーナ２６の上部右ネジ２６Ｂに対して反時計回り方向に回転して図３に示すような状態を経て、図４に示すようにリテーナ２６から離脱する。この状態で、容器本体２２内の内容液をリテーナ２６を吐出口として取り出すことが可能となる。特に、リテーナ２６の上部右ネジ２６Ｂの長さとベース部２５の高さとを適宜設定することにより、内容液が飲料の場合に飲み易い形状の飲み口を形成することができる。
【００２９】
次に、再度スクリューキャップ２７を閉じる場合は、図５に示すように、スクリューキャップ２７をリテーナ２６に対して右回り方向（時計回り方向）に回すことにより図６に示すように完全に嵌め込むことができる。このとき、リテーナ２６とスクリューキャップ２７は液密性の高いシールが可能となる。
【００３０】
（実施形態２）
図７〜図９は、本発明に係るキャップ付き容器の実施形態２を示す要部断面図である。本実施形態では、スクリューキャップ２７の形状が縦断面略Ｔ字状であり、円板状のスクリューキャップ本体２７Ｂと、スクリューキャップ本体２７Ｂの下面中央から垂下する雄ネジ栓部２７Ｃと、が一体に形成されている。また、雄ネジ栓部２７Ｃの外周には、キャップ右ネジ２７Ｄが刻設されている。また、リテーナ２６は、略筒形状であり下部左ネジ２６Ａおよび尖端部２６Ｃが形成され、上部には内壁面に上部右ネジ（雌ネジ）２６Ｅが形成されている。なお、リテーナ２６上部の外周面にはネジが形成されず円筒の曲面をなすように形成されている。本実施形態では、リテーナ２６の上部にスクリューキャップ２７の雄ネジ栓部２７Ｃが完全に嵌合（螺合）された状態で、リテーナ２６と雄ネジ栓部２７Ｃの下端周縁部とがスポット溶接された溶着部２８が形成されている。本実施形態における他の構成は、上記した実施形態１と同様である。
【００３１】
本実施形態では、図７に示す状態が、キャップ付き容器２１の出荷時の状態であり、上記した実施形態１と同様にスクリューキャップ２７を反時計回り方向に回し続けることで図８に示すように封止用フィルム２４を突き破ることができる。その後、さらにスクリューキャップ２７を同方向へ回転させればリテーナ２６が停止してリテーナ２６に対してスクリューキャップ２７が相対的に回り図９に示すようにスクリューキャップ２７を取り外すことができる。再度、スクリューキャップ２７を嵌める場合は、リテーナ２６の上部右ネジ２６Ｅに雄ネジ栓部２７Ｃを螺合させることで液密性の高い再封を行うことができる。
【００３２】
以上、実施形態１および実施形態２について説明したが、本発明はこれらに限定されるものではなく、構成の要旨に付随する各種の設計変更が可能である。例えば、上記した実施形態１においてベース部２５の上面に例えば弾力性をもつ樹脂シール材を貼り、スクリューキャップ２７とベース部２５との当接面の液密性を高める構成としても勿論よい。また、上記した実施形態２において、リテーナ２６の上部外周面とベース部２５の外周面とが面一になるように形成して、飲み易い形状の吐出口をベース部２５とリテーナ２６とで形成してもよい。
【００３３】
【発明の効果】
以上の説明から明らかなように、請求項１記載の発明によれば、スクリューキャップを取り外す方向へ回転させるという単純な操作で封止用フィルムを破り、スクリューキャップを取り去ることができ、キャップ開封作業を容易にすると共に、キャップを確実に再封できるという効果を奏する。
【００３４】
請求項２記載の発明によれば、スクリューキャップを回すだけて、リテーナの下部でベース部内に望む封止用フィルムを容易に破ることができ、この封止用フィルムで閉塞された液体注出口を解放することができる。このため、消費者は、スクリューキャップを外す動作のみを行うだけて、すぐに液体を吐出させ得る状態となり、操作が非常に簡単になるという効果がある。
【００３５】
請求項３記載の発明によれば、リテーナとスクリューキャップとが溶着部にて溶接されている為、スクリューキャップを取り外す為の方向に回転させるとキャップとリテーナとが一体となりベース部内を移動し、スクリューキャップが外れることがないという効果がある。
【００３６】
請求項４記載の発明によれば、ざらつきのない飲み口のキャップ構造を実現することができる。
【００３７】
請求項５記載の発明によれば、溶着部が切断されているか否かで判断することで、容器内容物の品質を判断する一手段とすることができ、品質保持機能を向上することができる。
【００３８】
請求項６記載の発明によれば、製造を容易にして低コストな生産を可能にすることができる。
【００３９】
請求項７記載の発明によれば、封止用フィルムをリテーナの尖端で容易且つ確実に破ることができるため、内容液の吐出路を確実に形成できるという効果がある。
【図面の簡単な説明】
【図１】本発明に係るキャップ付き容器の実施形態１を示す要部断面図である。
【図２】実施形態１のキャップ付き容器の要部断面図である。
【図３】実施形態１のキャップ付き容器の要部断面図である。
【図４】実施形態１のキャップ付き容器の要部断面図である。
【図５】実施形態１のキャップ付き容器の要部断面図である。
【図６】実施形態１のキャップ付き容器の要部断面図である。
【図７】本発明に係るキャップ付き容器の実施形態２を示す要部断面図である。
【図８】実施形態２のキャップ付き容器の要部断面図である。
【図９】実施形態２のキャップ付き容器の要部断面図である。
【図１０】従来のキャップ付き容器の要部断面図である。
【図１１】従来の他のキャップ付き容器の要部断面図である。
【符号の説明】
２１  キャップ付き容器
２２  容器本体
２３  キャップ部
２４  封止用フィルム
２５  ベース部
２５Ａ  ベース左ネジ
２６  リテーナ
２６Ａ  下部左ネジ
２６Ｂ  上部右ネジ
２６Ｃ  尖端部
２６Ｅ  上部右ネジ
２７  スクリューキャップ
２７Ａ  キャップ右ネジ
２７Ｂ  スクリューキャップ本体
２７Ｃ  雄ネジ栓部
２７Ｄ  キャップ右ネジ
２８  溶着部
【図１】
0004160163.tif 000002
【図２】
0004160163.tif 000003
【図３】
0004160163.tif 000004
【図４】
0004160163.tif 000005
【図５】
0004160163.tif 000006
【図６】
0004160163.tif 000007
【図７】
0004160163.tif 000008
【図８】
0004160163.tif 000009
【図９】
0004160163.tif 000010
【図１０】
0004160163.tif 000011
【図１１】
0004160163.tif 000012